【事件の表示】
　特願２０１３−５４１８７７「ロッタリーシステム及び方法」拒絶査定不服審判事件〔平成２４年　６月　７日国際公開、ＷＯ２０１２／０７４１４０、平成２６年　１月３０日国内公表、特表２０１４−５０２２００〕について、次のとおり審決する。
【結　論】
　本件審判の請求は、成り立たない。
【理　由】
第１　手続の経緯
　本件出願は、２０１１年１１月３０日（パリ条約による優先権主張　２０１０年１１月３０日、２０１１年１０月２４日、ケニヤ共和国）を国際出願日とする出願であって、平成２６年８月２１日付けで拒絶の理由が通知され、同年１１月２５日付けで意見書及び手続補正書が提出され、平成２７年５月２２日付けで拒絶の査定がなされた。これに対して、同年９月２８日に拒絶査定不服審判の請求と同時に特許請求の範囲を補正する手続補正がなされたものである。
第２　平成２７年９月２８日付けの手続補正（以下、「本件補正」という。）についての補正却下の決定
［補正却下の決定の結論］　
　本件補正を却下する。　
［理由］　
１　本件補正の概要
　本件補正は、国際出願翻訳文提出書に添付された特許請求の範囲を補正するもので、補正前に
「【請求項１】
　ロッタリーシステムであって、
　（ａ）ロッタリー加入者がロッタリーに参加するために用いる無線通信装置と、
　（ｂ）前記無線通信装置を無線ネットワーク上で用いることに関連する請求システムと、
　（ｃ）前記無線通信装置と通信し、（ｉ）ロッタリー登録モジュールと、（ｉｉ）少なくとも１つのロッタリーを備えるロッタリーデータベースと、（ｉｉｉ）ロッタリー抽選モジュールと、を備える賭博サーバと、
　（ｄ）前記賭博サーバにリンクしてチャンスユニットを預けるためのチャンスユニットアカウントであって、前記チャンスユニットを用いてロッタリー加入者は少なくとも１つのロッタリーに参加するチャンスユニットアカウントと、
　を備え、
　前記無線通信装置からの依頼の受信に応答して、前記賭博サーバは、金額を前記請求システムから引き出すことによってチャンスユニットを生成し、前記引き出した金額をチャンスユニットに定量化し、前記チャンスユニットを前記チャンスユニットアカウントに預け入れ、
　さらに、
　前記無線通信装置は、前記賭博サーバと通信するための加入者インターフェースを備え、
　前記賭博サーバは、それと通信されるロッタリーウェブサイトと、前記ロッタリーで提供中の賞金を記録するための賞金データベースを備え、
　前記賭博サーバは、ロッタリー加入者が獲得した賞金を換金すると、前記賞金データベースを更新し、
　前記賞金データベースは、前記賞金の換金に関して取引詳細を閲覧及び監視してもよい第三者によってアクセス可能である
　ことを特徴とするロッタリーシステム。
　　【請求項２】
　前記加入者インターフェースは、前記無線通信装置にダウンロードされたロッタリーメニュを備えるか、または前記賭博サーバにリンクするワイヤレスアプリケーションプロトコル（ＷＡＰ）のページである
　請求項１に記載のシステム。
　　【請求項３】
　前記無線通信装置は携帯電話である請求項１に記載のシステム。
　　【請求項４】
　前記賭博サーバと通信する支払いネットワークシステムをさらに備え、前記支払いネットワークシステムはアカウントを備え、前記無線通信装置からの依頼の受信に応答して、
前記賭博サーバは前記アカウントから金額を引き出し、前記金額を相当するチャンスユニットに定量化し、そこから前記チャンスユニットを前記チャンスユニットアカウントに預け入れる
　請求項１に記載のシステム。
　　【請求項５】
　前記支払いネットワークシステムは、無線ネットワークプロバイダと操作可能に通信する金融システム、送金システム、クレジットカードシステム、携帯電話の入金用スクラッチカード及びインターネットを用いる送金システムからなるグループから選択される
　請求項４に記載のシステム。
　　【請求項６】
　前記ロッタリー加入者は、お互いに、チャンスユニットを転送または交換することができる
　請求項１に記載のシステム。
　　【請求項７】
　前記ロッタリーデータベースはロッタリーを含み、前記ロッタリー加入者は前記選定から、少なくとも１つのロッタリーを選択し参加することができる
　請求項１に記載のシステム。
　　【請求項８】
　前記賭博サーバは、チャンスユニットを仮想通貨に再両替するように構成され、前記仮想通貨は指定窓口で換金することができる
　請求項１に記載のシステム。
　　【請求項９】
　前記登録モジュールは、加入者を前記ロッタリーシステムに登録するための登録方法を実施するように構成され、
　前記登録方法は、
　（ａ）登録依頼を受信するステップと、
　（ｂ）ユーザの電話番号に関連する識別番号コードを生成し、記録するステップと、
　（ｃ）ロッタリーインターフェースを起動するステップと、
　（ｄ）前記加入者の携帯電話番号に関連するチャンスユニットアカウントを生成するステップと、
　を有する
　請求項１に記載のシステム。
　　【請求項１０】
　前記登録依頼は、ユーザが指定コードを前記無線通信装置に送信またはダイヤルすることを備える
　請求項９に記載のシステム。
　　【請求項１１】
　前記登録依頼は、前記加入者はさらに、前記賭博サーバにログインするための個人識別番号（ΡＩΝ）を提供することが求められる
　請求項１０に記載のシステム。
　　【請求項１２】
　前記登録依頼は、前記無線通信装置のユーザが前記ロッタリーに加入するための招待を受信することに応答して送信される
　請求項１０に記載のシステム。
　　【請求項１３】
　前記ロッタリーに加入するための前記招待は、前記無線通信装置のユーザが使用時間アカウントを入金するか、または前記無線通信装置の使用に関連する請求金額を支払うことに応答して送信される
　請求項１２に記載のシステム。
　　【請求項１４】
　前記加入者はさらに、前記ＰＩＮ及び前記チャンスユニットアカウントの明細書を含む、前記ロッタリーシステムへの登録状態に関する通知を受信する
　請求項１１に記載のシステム。
　　【請求項１５】
　ロッタリーグループを登録するようにさらに構成され、加入者は友人を前記ロッタリーに勧誘してロッタリーグループを開設する
　請求項９に記載のシステム。
　　【請求項１６】
　チャンスユニットを生成する工程は、
　（ａ）指定された数のチャンスユニットの生成に対する依頼を受信し、
　（ｂ）前記依頼された数のチャンスユニットに等価の金額を指定されたアカウントから引き出し、
　（ｃ）前記引き出した金額をチャンスユニットに定量化し、
　（ｄ）前記チャンスユニットを前記加入者のチャンスユニットアカウントに預け入れること、
　を有する
　請求項１に記載のシステム。
　　【請求項１７】
　チャンスユニットを生成するための前記依頼は、前記無線通信装置のロッタリーメニュを用いて、または前記ロッタリーウェブサイトを通じて送信される
　請求項１６に記載のシステム。
　　【請求項１８】
　チャンスユニットを生成するための前記依頼は、チャンスユニットを定期的に生成するために、前記加入者が前記賭博サーバに登録することをさらに備える
　請求項１６に記載のシステム。
　　【請求項１９】
　チャンスユニットを定期的に生成するための前記依頼は、時間に基づいてもよく、または加入者が無線通信装置使用時間を入金する、もしくは預け入れるとき、または特定のイ
ベントの発生時に行われる
　請求項１８に記載のシステム。
　　【請求項２０】
　ロッタリー加入者は、前記ロッタリーシステムにエントリーすることによってロッタリーに参加し、その参加方法は、
　（ａ）前記加入者が前記賭博サーバに前記無線通信装置を介して依頼を送信し、前記依頼は前記ロッタリーの識別番号及びエントリーする数の表示を備え、
　（ｂ）前記賭博サーバは、前記依頼された数のエントリーに相当するチャンスユニットの数を判断し、前記チャンスユニットを前記チャンスユニットアカウントから引き出し、
　（ｃ）前記賭博サーバは、前記ロッタリーに前記依頼された数でエントリーし、
　（ｄ）前記賭博サーバは、確認メッセージを前記無線通信装置に送信すること、
　を備え、前記確認メッセージは、前記ロッタリーを識別する情報と、エントリーする数
と、前記チャンスユニットアカウントの前記加入者の残高とを備える
　請求項１に記載のシステム。
　　【請求項２１】
　ロッタリー加入者は、自分自身のチャンスユニットを用いて、別の加入者に代わってロッタリーにエントリー可能である
　請求項２０に記載のシステム。」 
　とあるのを、
「【請求項１】
　ロッタリーシステムであって、
　（ａ）ロッタリー加入者がロッタリーに参加するために用いる無線通信装置と、
　（ｂ）前記無線通信装置を無線ネットワーク上で用いることに関連する請求システムと、
　（ｃ）前記無線通信装置と通信し、（ｉ）ロッタリー登録モジュールと、（ｉｉ）少なくとも１つのロッタリーを備えるロッタリーデータベースと、（ｉｉｉ）ロッタリー抽選モジュールと、を備える賭博サーバと、
　（ｄ）前記賭博サーバにリンクしてチャンスユニットを預けるためのチャンスユニットアカウントであって、前記チャンスユニットを用いてロッタリー加入者は少なくとも１つのロッタリーに参加するチャンスユニットアカウントと、
　を備え、
　
前記チャンスユニットを生成する工程は、
　
指定された数のチャンスユニットの生成のための依頼を受信するステップと、
　
指定されたアカウントから、前記依頼された数のチャンスユニットに等価な金額を引き落とすステップと、
　
前記引き落とされた金額をチャンスユニットに定量化させるステップと、
　
前記チャンスユニットを前記加入者のチャンスユニットアカウントに預け入れるステップとを有する
　ことを特徴とするロッタリーシステム。
　　【請求項２】
　
前記無線通信装置は、前記賭博サーバと通信するための加入者インターフェースを備える
　請求項１に記載のシステム。
　　【請求項３】
　前記加入者インターフェースは、前記無線通信装置にダウンロードされたロッタリーメニュを備えるか、または前記賭博サーバにリンクするワイヤレスアプリケーションプロトコル（ＷＡＰ）のページである
　
請求項２
　　【請求項４】
　前記無線通信装置は携帯電話である　請求項１に記載のシステム。
　　【請求項５】
　前記賭博サーバと通信する支払いネットワークシステムをさらに備え、前記支払いネットワークシステムはアカウントを備え、前記無線通信装置からの依頼の受信に応答して、前記賭博サーバは前記アカウントから金額を引き出し、前記金額を相当するチャンスユニットに定量化し、そこから前記チャンスユニットを前記チャンスユニットアカウントに預け入れる
　請求項１に記載のシステム。
　　【請求項６】
　前記支払いネットワークシステムは、無線ネットワークプロバイダと操作可能に通信する金融システム、送金システム、クレジットカードシステム、携帯電話の入金用スクラッチカード及びインターネットを用いる送金システムからなるグループから選択される
　
請求項５
　　【請求項７】
　
前記賭博サーバと通信するように構成されるロッタリーウェブサイトを備える
　請求項１に記載のシステム。
　　【請求項８】
　
前記ロッタリーで提供中の様々な賞金を記録するための賞金データベースを備え、ロッタリー加入者が獲得した賞金を換金すると、前記賭博サーバは前記賞金データベースを更新する
　請求項１に記載のシステム。
　　【請求項９】
　
前記賞金データベースは、前記賞金の換金に関して取引詳細を閲覧及び監視してもよい第三者によってアクセス可能である
　請求項８に記載のシステム。
　　【請求項１０】
　前記ロッタリー加入者は、お互いに、チャンスユニットを転送または交換することができる
　請求項１に記載のシステム。
　　【請求項１１】
　前記ロッタリーデータベースはロッタリーを含み、前記ロッタリー加入者は前記選定から、少なくとも１つのロッタリーを選択し参加することができる
　請求項１に記載のシステム。
　　【請求項１２】
　前記賭博サーバは、チャンスユニットを仮想通貨に再両替するように構成され、前記仮想通貨は指定窓口で換金することができる
　請求項１に記載のシステム。
　　【請求項１３】
　前記登録モジュールは、加入者を前記ロッタリーシステムに登録するための登録方法を実施するように構成され、
　前記登録方法は、
　（ａ）登録依頼を受信するステップと、
　（ｂ）ユーザの電話番号に関連する識別番号コードを生成し、記録するステップと、
　（ｃ）ロッタリーインターフェースを起動するステップと、
　（ｄ）前記加入者の携帯電話番号に関連するチャンスユニットアカウントを生成するステップと、
　を有する
　請求項１に記載のシステム。
　　【請求項１４】
　前記登録依頼は、ユーザが指定コードを前記無線通信装置に送信またはダイヤルすることを備える
　
請求項１３
　　【請求項１５】
　前記登録依頼は、前記加入者はさらに、前記賭博サーバにログインするための個人識別番号（ΡＩΝ）を提供することが求められる
　
請求項１４
　　【請求項１６】
　前記登録依頼は、前記無線通信装置のユーザが前記ロッタリーに加入するための招待を受信することに応答して送信される
　
請求項１４
　　【請求項１７】
　前記ロッタリーに加入するための前記招待は、前記無線通信装置のユーザが使用時間アカウントを入金するか、または前記無線通信装置の使用に関連する請求金額を支払うことに応答して送信される
　
請求項１６
　　【請求項１８】
　前記加入者はさらに、前記ＰＩＮ及び前記チャンスユニットアカウントの明細書を含む、前記ロッタリーシステムへの登録状態に関する通知を受信する
　
請求項１３
　　【請求項１９】
　ロッタリーグループを登録するようにさらに構成され、加入者は友人を前記ロッタリーに勧誘してロッタリーグループを開設する
　請求項１３に記載のシステム。
　　【請求項２０】
　
前記無線通信装置は、前記賭博サーバと通信するための加入者インターフェースを備え
、
　前記賭博サーバは、それと通信されるロッタリーウェブサイトと、前記ロッタリーで提供中の賞金を記録するための賞金データベースを備え、
　前記賭博サーバは、ロッタリー加入者が獲得した賞金を換金すると、前記賞金データベースを更新し、
　前記賞金データベースは、前記賞金の換金に関して取引詳細を閲覧及び監視してもよい第三者によってアクセス可能である
　請求項１に記載のシステム。
　　【請求項２１】
　チャンスユニットを生成するための前記依頼は、前記無線通信装置のロッタリーメニュを用いて、または前記ロッタリーウェブサイトを通じて送信される
　
請求項１
　　【請求項２２】
　チャンスユニットを生成するための前記依頼は、チャンスユニットを定期的に生成するために、前記加入者が前記賭博サーバに登録することをさらに備える
　
請求項１
　　【請求項２３】
　チャンスユニットを定期的に生成するための前記依頼は、時間に基づいてもよく、または加入者が無線通信装置使用時間を入金する、もしくは預け入れるとき、または特定のイ
ベントの発生時に行われる
　
請求項２２
　　【請求項２４】
　ロッタリー加入者は、前記ロッタリーシステムにエントリーすることによってロッタリーに参加し、その参加方法は、
　（ａ）前記加入者が前記賭博サーバに前記無線通信装置を介して依頼を送信し、前記依頼は前記ロッタリーの識別番号及びエントリーする数の表示を備え、
　（ｂ）前記賭博サーバは、前記依頼された数のエントリーに相当するチャンスユニットの数を判断し、前記チャンスユニットを前記チャンスユニットアカウントから引き出し、
　（ｃ）前記賭博サーバは、前記ロッタリーに前記依頼された数でエントリーし、
　（ｄ）前記賭博サーバは、確認メッセージを前記無線通信装置に送信すること、
　を備え、前記確認メッセージは、前記ロッタリーを識別する情報と、エントリーする数と、前記チャンスユニットアカウントの前記加入者の残高とを備える
　請求項１に記載のシステム。
　　【請求項２５】
　ロッタリー加入者は、自分自身のチャンスユニットを用いて、別の加入者に代わってロッタリーにエントリー可能である
　
請求項２４
　　【請求項２６】
　ロッタリーを実施する方法であって、
　（ａ）ロッタリーシステムを提供するステップと、
　（ｂ）ユーザを前記ロッタリーシステムに登録するステップと、
　（ｃ）ロッタリー加入者は、エントリーすることによって、前記ロッタリーシステムにおいて抽選に参加するステップと、
　（ｄ）ロッタリーの抽選を行い、前記ロッタリー加入者に通知するステップと、
　を有し、
　前記ロッタリーシステムは、（ｉ）無線通信装置と、（ｉｉ）前記無線通信装置を無線ネットワーク上で用いることに関連する請求システムと、（ｉｉｉ）前記無線通信装置と通信する賭博サーバであって、前記賭博サーバは、ロッタリー登録モジュールと、少なくとも１つのロッタリーを備えるロッタリーデータベースと、ロッタリー抽選モジュールと、前記賭博サーバにリンクして、少なくとも１つのロッタリーに参加するためにロッタリー加入者が用いるチャンスユニットを預け入れるチャンスユニットアカウントとを含む賭博サーバと、を備え、
　前記無線通信装置からの依頼の受信に応答して、前記賭博サーバは、金額を前記請求システムから引き出すことによってチャンスユニットを生成し、前記引き出した金額をチャンスユニットに定量化し、前記チャンスユニットを前記チャンスユニットアカウントに預け入れ、
　前記チャンスユニットを生成する工程は、
　指定された数のチャンスユニットの生成のための依頼を受信するステップと、
　指定されたアカウントから、前記依頼された数のチャンスユニットに等価な金額を引き落とすステップと、
　前記引き落とされた金額をチャンスユニットに定量化させるステップと、
　前記チャンスユニットを前記加入者のチャンスユニットアカウントに預け入れるステップとを有する
　ことを特徴とするロッタリーの方法。
　　【請求項２７】
　チャンスユニットを生成するための前記依頼は、前記加入者がチャンスユニットを定期的に生成するための依頼を送信することを含み、前記依頼は前記チャンスユニットを生成するための所望する時期を表示する
　請求項２６に記載の方法。
　　【請求項２８】
　前記チャンスユニットを定期的に生成するための前記所望する時期は、時間、または加入者が携帯電話使用時間を入金する、もしくは預け入れるとき、または特定のイベントの発生時を含む
　請求項２７に記載の方法。
　　【請求項２９】
　ユーザの前記ロッタリーシステムへの前記登録は、
　（ａ）ユーザが前記賭博サーバに前記無線ネットワークを通じて登録依頼を送信し、
　（ｂ）前記賭博サーバは、前記依頼を受信すると、前記ユーザの電話番号に関連する識
別番号コードを生成、記録し、
　（ｃ）前記賭博サーバは、ロッタリー加入者インターフェースを前記無線通信装置に送信し、
　（ｄ）前記加入者の無線通信装置に関連するチャンスユニットアカウントを前記賭博サーバに作成すること、
　を有する
　請求項２６に記載の方法。
　　【請求項３０】
　登録するための前記依頼は、前記ユーザが前記ロッタリーに参加するための招待を受信することに応答して送信される
　請求項２９に記載の方法。
　　【請求項３１】
　前記ロッタリーに参加するための前記招待は、ユーザの前記無線通信装置アカウントへの入金、または前記無線通信装置アカウントに関連する請求金額の支払いに応答して送信される
　請求項３０に記載の方法。
　　【請求項３２】
　前記ロッタリーに参加するための前記招待はＳＭＳメッセージである
　請求項３０に記載の方法。
　　【請求項３３】
　登録するための前記依頼は、前記無線通信装置に指定コードを送信する、またはダイヤルすることを有する
　請求項２９に記載の方法。
　　【請求項３４】
　前記ユーザの電話番号に関連する前記識別番号コードは、前記ユーザの電話番号と同じである
　請求項２９に記載の方法。
　　【請求項３５】
　前記ロッタリー加入者インターフェースはロッタリーメニュまたは前記ロッタリーウェブサイトへのＷＡＰリンクである
　請求項２９に記載の方法。
　　【請求項３６】
　前記加入者は、後で前記賭博サーバとの全取引を検証するために用いられてもよい個人識別番号（ＰＩＮ）を提出することが求められる
　請求項２９に記載の方法。
　　【請求項３７】
　前記加入者は前記ロッタリーシステムへの前記登録状態に関する通知を受信し、前記通知は前記ＰＩＮと、チャンスユニットアカウントの明細書とを含む
　請求項２９に記載の方法。
　　【請求項３８】
　ロッタリーグループの登録を可能にし、加入者が別の人を前記ロッタリーに勧誘しロッタリーグループを形成する
　請求項２９に記載の方法。
　　【請求項３９】
　ロッタリー加入者は、前記ロッタリーウェブサイトまたは前記無線通信装置から、ロッタリーグループに参加してもよい
　請求項３８に記載の方法。
　　【請求項４０】
　前記ロッタリーへの参加は、
　（ａ）ロッタリー加入者が前記賭博サーバに前記無線通信装置を通じて依頼を送信し、前記依頼は、前記ロッタリーの識別番号と、そこにエントリーする数の表示とを備え、
　（ｂ）前記賭博サーバは、前記依頼された数のエントリーに相当するチャンスユニットの数を判断し、前記チャンスユニットを前記チャンスユニットアカウントから引き出し、
　（ｃ）前記賭博サーバは、前記ロッタリーで前記依頼された数をエントリーし、
　（ｄ）前記賭博サーバは、確認メッセージを前記無線通信装置に送信し、前記確認メッセージは、前記ロッタリーを識別する情報と、エントリーする数と、前記チャンスユニットアカウントの前記加入者の残高とを備えること、
　を有する
　請求項２６に記載の方法。
　　【請求項４１】
　エントリーすることによって前記加入者がロッタリーの抽選に参加することは、前記加入者がロッタリーへの定期的なエントリーを登録することを有する
　請求項４０に記載の方法。
　　【請求項４２】
　定期的にエントリーする前記方法は、
　（ａ）前記加入者が所望する時期にエントリーするための依頼を送信するステップと、
　（ｂ）前記依頼を前記賭博サーバに登録するステップと、
　（ｃ）前記賭博サーバが、自動で前記所望する時期にエントリーするステップと、
　を有する
　請求項４１に記載の方法。
　　【請求項４３】
　定期的なエントリーをするための前記所望する時期は、時間、または加入者が無線通信装置使用時間を入金する、もしくは預け入れるとき、または特定のイベントの発生時を含む
　請求項４２に記載の方法。
　　【請求項４４】
　ロッタリーの抽選を行い、前記加入者に通知することは、
　（ａ）前記ロッタリー抽選モジュールは、当選となるエントリーをロッタリー抽選規則にしたがって選択するステップと、
　（ｂ）賭博サーバは、全当選者にメッセージを送り、当選したことを通知するステップと、
　（ｃ）賞金を前記当選者に支払うステップと、
　を含む
　請求項２６に記載の方法。
　　【請求項４５】
　前記賞金は全国にわたって、全地域にわたって、全大陸にわたって、及び国際的に分類され授与される
　請求項４４に記載の方法。
　　【請求項４６】
　前記賞金は、前記賞金を前記ロッタリーシステムの前記加入者のチャンスユニットアカウント、前記支払いネットワークシステムが維持する前記加入者のアカウント、または前記無線ネットワークの前記請求システムが維持する前記加入者のアカウントに預け入れることによって支払われる
　請求項４４に記載の方法。
　　【請求項４７】
　前記当選者は指定窓口で賞金を換金する
　請求項４４に記載の方法。
　　【請求項４８】
　前記賭博サーバは、無料の特別なチャンスユニットをボーナスとして生成し、資格を持つ加入者のチャンスユニットアカウントに預け入れるように構成される
　請求項２６に記載の方法。
　　【請求項４９】
　前記資格を持つ加入者は、前記加入者の無線ネットワーク内、または前記加入者の無線ネットワーク外の一定のイベントが一致する結果として選択される
　請求項４８に記載の方法。
　　【請求項５０】
　前記無線通信装置は携帯電話である
　請求項２６ないし４９のいずれかに記載の方法。
と補正するものである。
（なお、下線は、補正の内容を明らかにするために、審決で付した。）
２　本件補正の目的
　本件補正は、本件補正前の請求項１が備える発明を特定するために必要な事項である
「前記無線通信装置は、前記賭博サーバと通信するための加入者インターフェースを備え、
　前記賭博サーバは、それと通信されるロッタリーウェブサイトと、前記ロッタリーで提供中の賞金を記録するための賞金データベースを備え、
　前記賭博サーバは、ロッタリー加入者が獲得した賞金を換金すると、前記賞金データベースを更新し、
　前記賞金データベースは、前記賞金の換金に関して取引詳細を閲覧及び監視してもよい第三者によってアクセス可能である」
を削除するものであるから、本件補正により特許請求の範囲が拡張されている。したがって、本件補正は特許法第１７条の２第５項第２号に掲げる特許請求の範囲の減縮を目的とするものに該当しない。
　加えて、本件補正は請求項の数を増加するものであるが、請求項の数を増加する補正が、「特許請求の範囲の減縮」であるというためには、補正前の請求項と補正後の請求項との対応関係が明白であって、かつ、補正後の請求項が補正前の請求項を限定した関係になっていることが明確であることが要請され、補正前の請求項と補正後の請求項とは、一対一又はこれに準ずるような対応関係に立つものでなければならない。
　しかしながら、本件補正後の請求項１ないし５０については、一対一又はこれに準ずるような対応関係にある補正前の請求項は見当たらない。
　したがって、この点においても、本件補正は特許法第１７条の２第５項第２号に掲げる特許請求の範囲の減縮を目的とするものに該当しない。
　また、本件補正については、請求項の削除、誤記の訂正、明りょうでない記載の釈明（拒絶理由通知に係る拒絶の理由に示す事項についてするものに限る。）を目的とするものでない。
　したがって、本件補正は、特許法第１７条の２第５項各号のいずれを目的とするものではない。
３　むすび
　以上のとおり、本件補正は、特許法第１７条の２第５項に規定する要件に違反するものであり、同法第１５９条で読み替えて準用する同法第５３条第１項の規定により、却下すべきものである。
　よって、上記補正の却下の決定の結論のとおり決定する。
第３　本願発明について
１　本願発明
　本件補正は、上記のとおり却下されたので、本願の請求項１に係る発明（以下「本願発明」という。）は、平成２６年１１月２５日付けで提出された手続補正書により補正された特許請求の範囲の請求項１に記載された事項により特定される、以下のとおりのものである。
「ロッタリーシステムであって、
　（ａ）ロッタリー加入者がロッタリーに参加するために用いる無線通信装置と、
　（ｂ）前記無線通信装置を無線ネットワーク上で用いることに関連する請求システムと、
　（ｃ）前記無線通信装置と通信し、（ｉ）ロッタリー登録モジュールと、（ｉｉ）少なくとも１つのロッタリーを備えるロッタリーデータベースと、（ｉｉｉ）ロッタリー抽選モジュールと、を備える賭博サーバと、
　（ｄ）前記賭博サーバにリンクしてチャンスユニットを預けるためのチャンスユニットアカウントであって、前記チャンスユニットを用いてロッタリー加入者は少なくとも１つのロッタリーに参加するチャンスユニットアカウントと、
　を備え、
　前記無線通信装置からの依頼の受信に応答して、前記賭博サーバは、金額を前記請求システムから引き出すことによってチャンスユニットを生成し、前記引き出した金額をチャンスユニットに定量化し、前記チャンスユニットを前記チャンスユニットアカウントに預け入れ、
　さらに、
　前記無線通信装置は、前記賭博サーバと通信するための加入者インターフェースを備え、
　前記賭博サーバは、それと通信されるロッタリーウェブサイトと、前記ロッタリーで提供中の賞金を記録するための賞金データベースを備え、
　前記賭博サーバは、ロッタリー加入者が獲得した賞金を換金すると、前記賞金データベースを更新し、
　前記賞金データベースは、前記賞金の換金に関して取引詳細を閲覧及び監視してもよい第三者によってアクセス可能である
　ことを特徴とするロッタリーシステム。」
２　引用例
　原査定の拒絶の理由に引用され、本願の出願日前に頒布された特開２００１−３５７１６６号公報（以下、「引用例」という。）には、以下の記載がある。
（１）「【特許請求の範囲】
【請求項１】  
携帯端末に対してネットワークを介してゲームサービスを提供する
前記携帯端末からの前記ゲームサービスへの参加要求
参加を要求した携帯端末と通信を行いつつ、前記ゲームサービスを実行する手順と、
前記ゲームサービスの実行結果に応じてネットワークを介して参加料及び配当の決済を行なう
・・・
【請求項９】  
前記ゲームサービスへの参加料及び前記配当は、前記携帯端末の通信料が徴収される口座上で取引すること
【請求項１０】  
前記決済は、金銭に対応したポイント数により行なわれること
（２）「【０００６】
【課題を解決するための手段】本発明は、携帯電話などの携帯端末の通信により、参加料を徴収して例えば、
クイズ、宝くじ、簡易くじ、ビンゴゲームなどゲームサービス
・・・
【００１３】
本実施例のシステム１は、携帯端末装置２−１〜２−ｎ、携帯電話通信網３、通信管理装置４、ネットワーク５、サービス提供装置６−１〜６−ｊ、決済機関処理装置７を含む構成とされている。
（３）「【００５９】以上はクイズ形式のサービスについて説明したが、
くじ形式のサービスを提供する
・・・
【００６３】
くじ購入者は、
ゲーム・クイズサイト画面を表示させた後、ステップＳ５−２でクイック宝くじ項目を選択し、決定する。
【００６４】ステップＳ５−２でクイック宝くじ項目が選択・決定されると、ｉモードセンタを介してサービス提供装置６−ｉにクイック宝くじ項目選択要求が送信される。
サービス提供装置６−ｉは、ステップＳ６−１で携帯電話１１からクイック宝くじ項目選択要求を受信すると、ステップＳ６−２で携帯電話１１にクイック宝くじ画面情報を送信する。
【００６５】
携帯電話１１は、ステップＳ５−３でサービス提供装置６−ｉからクイック宝じく画面情報を受信すると
クイック宝くじ画面を表示する。
【００６６】クイック宝くじ画面には、図１６に示されるように受付締め切り日、抽選日、等級別の現在の当選金、くじ購入枚数が表示される。
【００６７】
くじ購入者は、くじ購入枚数を入力し、決定操作を行なう。携帯電話１１は、ステップＳ５−５でくじ購入枚数をサービス提供装置６−ｉに送信する。サービス提供装置６−ｉは、ステップＳ６−３で携帯電話１１から購入枚数を受信すると、ステップＳ６−４で乱数表などを用いてくじ番号を決定する。決定された番号は、サービス提供装置６−ｉで購入された携帯電話番号毎に記憶される。
【００６８】携帯電話１１は、ステップＳ５−６でくじ番号を受信すると、ステップＳ５−７でくじ番号を表示する。
【００６９】
サービス提供装置６−ｉは、予め決められた抽選日時になると
乱数表などを用いて当選番号を決定する
（４）「【００７５】さらに、くじ形式のサービスとして、いわゆる、
ナンバーズ、ミニロトなどの簡易くじ方式のサービスを提供
・・・
【００８０】
くじ購入者は、ステップＳ７−１で図３に示される手順により図２０に示すようなゲーム・クイズサイト画面を表示させた後、ステップＳ７−２でクイック簡易くじ項目を選択し、決定する。
【００８１】ステップＳ７−２でクイック簡易くじ項目が選択・決定されると、ｉモードセンタを介してサービス提供装置６−ｉにクイック簡易くじ項目選択要求が送信される。
サービス提供装置６−ｉは、ステップＳ８−１で携帯電話１１からクイック簡易くじ項目選択要求を受信すると、ステップＳ８−２で携帯電話１１にクイック簡易くじ画面情報を送信する。
【００８２】
携帯電話１１は、ステップＳ７−３でサービス提供装置６−ｉからクイック簡易じく画面情報を受信すると、
クイック簡易くじ選択画面を表示する。
【００８３】
クイック簡易くじ選択画面には
複数種類の簡易くじ
が選択可能とされる。くじ購入者により所望のクイック簡易くじが選択されると、
簡易くじ要求がサービス提供装置６−ｉに送信される。
【００８４】
サービス提供装置２は、ステップＳ８−３で所望の簡易くじ情報を受信すると、
簡易くじ購入画面情報を携帯電話１１に送信する。携帯電話１１は、
簡易くじ購入画面情報を受信すると、
簡易くじ購入画面を表示する。
・・・
【００８８】よって、
簡易くじ購入画面は、
３桁の数字を指定する数字指定部
【００８９】
くじ購入者は、数字指定部に３桁の数字を入力するとともに、購入タイプ選択部の購入しようとする購入タイプに購入口数を指定し、決定操作を行なう。
サービス提供装置６−ｉは、携帯電話１１から指定数字及び購入タイプ、購入口数などの情報を受信すると、ステップＳ８−５で指定数字及び購入タイプ、購入口数などの情報を携帯電話番号毎に記憶管理する。
・・・
【００９２】
サービス提供装置６−ｉは、指定された抽選日になるとステップＳ８−８で３桁の数字の抽選を行なう。
（５）「【０１５４】
ポイント管理データベース６ａは、登録番号、氏名、携帯電話番号、住所、ポイント数などから構成される。登録番号は、登録者に予め付与された番号である。
【０１５５】
事業者は、上記のようなポイント管理データベース６ａによりポイント数を管理する。
　上記（１）ないし（５）の記載事項を総合すると、引用例には、次の発明（以下、「引用発明」という。）が記載されているものと認められる。
「携帯端末に対してネットワークを介して、くじ、簡易くじのゲームサービスを提供するシステムであって、
携帯端末から、くじ、簡易くじのゲームサービスへ参加要求し、
ゲームサービスの実行結果に応じてネットワークを介して参加料及び配当の決済を行い、ゲームサービスへの参加料及び配当は、携帯端末の通信料が徴収される口座上で取引し、
決済は、金銭に対応したポイント数により行なわれ、ポイント数は、登録番号、氏名、携帯電話番号、住所、ポイント数などから構成されるポイント管理データベースにて管理し、
くじ形式のサービスを提供する際には、くじ購入者が、携帯電話にゲーム・クイズサイト画面を表示させた後、クイック宝くじ項目を選択し、決定すると、サービス提供装置は、携帯電話からクイック宝くじ項目選択要求を受信し、携帯電話にクイック宝くじ画面情報を送信し、携帯電話は、クイック宝じく画面情報を受信すると、クイック宝くじ画面を表示し、くじ購入者が、クイック宝くじ画面にて、くじ購入枚数を入力し、決定操作を行うと、サービス提供装置は、乱数表などを用いてくじ番号を決定し、携帯電話番号毎に記憶し、予め決められた抽選日時になると、乱数表などを用いて当選番号を決定し、
ナンバーズ、ミニロトなどの簡易くじ方式のサービスを提供する際には、くじ購入者が携帯電話にゲーム・クイズサイト画面を表示させた後、クイック簡易くじ項目を選択し、決定すると、サービス提供装置は、携帯電話からクイック簡易くじ項目選択要求を受信し、携帯電話にクイック簡易くじ画面情報を送信し、携帯電話は、クイック簡易くじ画面情報を受信すると、クイック簡易くじ選択画面を表示し、クイック簡易くじ選択画面には、複数種類の簡易くじが選択可能とされ、くじ購入者により所望のクイック簡易くじが選択され、送信されると、サービス提供装置は、簡易くじ購入画面情報を携帯電話に送信し、携帯電話は、簡易くじ購入画面情報を受信すると、簡易くじ購入画面を表示し、くじ購入者は簡易くじ購入画面の数字指定部に３桁の数字を入力するとともに購入タイプ、購入口数を指定し、決定操作を行なうと、サービス提供装置は、携帯電話から指定数字及び購入タイプ、購入口数などの情報を受信し、携帯電話番号毎に記憶管理し、指定された抽選日になると３桁の数字の抽選を行うことにより、
くじ、簡易くじのゲームサービスを提供するシステム」
３　対比
　引用発明の「くじ、簡易くじ」は、本願発明の「ロッタリー」に相当し、「携帯端末に対してネットワークを介して、くじ、簡易くじのゲームサービスを提供するシステム」は「ロッタリーシステム」に相当する。
　引用発明は「ゲームサービスの実行結果に応じてネットワークを介して参加料及び配当の決済を行い、ゲームサービスへの参加料及び配当は、携帯端末の通信料が徴収される口座上で取引」しているから、本願発明の「無線通信装置を無線ネットワーク上で用いることに関連する請求システム」を備えている。
　引用発明の「サービス提供装置」は、「くじ形式のサービス」を提供する際には、「乱数表などを用いてくじ番号を決定し、携帯電話番号毎に記憶し、予め決められた抽選日時になると、乱数表などを用いて当選番号を決定」し、また、「ナンバーズ、ミニロトなどの簡易くじ」を提供する際には、「携帯電話から指定数字及び購入タイプ、購入口数などの情報を受信し、携帯電話番号毎に記憶管理し、指定された抽選日になると３桁の数字の抽選を行う」から、本願発明の「少なくとも１つのロッタリーを備えるロッタリーデータベース」を備えているといえる。また、引用発明の「サービス提供装置」は、「くじ」を提供する際には、「乱数表などを用いてくじ番号を決定し、携帯電話番号毎に記憶」し、「ナンバーズ、ミニロトなどの簡易くじ」を提供する際には、「指定数字及び購入タイプ、購入口数などの情報を、携帯電話番号毎に記憶管理」しているから、本願発明の「ロッタリー登録モジュール」を備えているといえる。引用発明の「サービス提供装置」は、「くじ」を提供する際には、「予め決められた抽選日時になると、乱数表などを用いて当選番号を決定」し、「ナンバーズ、ミニロトなどの簡易くじ」を提供する際には、「指定された抽選日になると３桁の数字の抽選を行う」から、本願発明の「ロッタリー抽選モジュール」を備えているといえる。したがって、「サービス提供装置」は、「無線通信装置と通信し、（ｉ）ロッタリー登録モジュールと、（ｉｉ）少なくとも１つのロッタリーを備えるロッタリーデータベースと、（ｉｉｉ）ロッタリー抽選モジュールと、を備える賭博サーバ」に相当する。
　引用発明の「金銭に対応したポイント数」は、本願発明の「チャンスユニット」に相当する。
　引用発明において、「ポイント数は、登録番号、氏名、携帯電話番号、住所、ポイント数などから構成されるポイント管理データベースにて管理」されているから、引用発明の「ポイント管理データベース」は、本願発明の「賭博サーバにリンクしてチャンスユニットを預けるためのチャンスユニットアカウントであって、チャンスユニットを用いてロッタリー加入者は少なくとも１つのロッタリーに参加するチャンスユニットアカウント」に相当する。
　引用発明において、「くじ購入者が、携帯電話にゲーム・クイズサイト画面を表示させた後、クイック宝くじ項目を選択し、決定すると、サービス提供装置は、携帯電話からクイック宝くじ項目選択要求を受信し、携帯電話にクイック宝くじ画面情報を送信し、携帯電話は、クイック宝じく画面情報を受信すると、クイック宝くじ画面を表示し、くじ購入者が、クイック宝くじ画面にて、くじ購入枚数を入力し、決定操作を行うと、サービス提供装置は、乱数表などを用いてくじ番号を決定し、携帯電話番号毎に記憶し」、また、「くじ購入者が携帯電話にゲーム・クイズサイト画面を表示させた後、クイック簡易くじ項目を選択し、決定すると、サービス提供装置は、携帯電話からクイック簡易くじ項目選択要求を受信し、携帯電話にクイック簡易くじ画面情報を送信し、携帯電話は、クイック簡易くじ画面情報を受信すると、クイック簡易くじ選択画面を表示し、クイック簡易くじ選択画面には、複数種類の簡易くじが選択可能とされ、くじ購入者により所望のクイック簡易くじが選択され、送信されると、サービス提供装置は、簡易くじ購入画面情報を携帯電話に送信し、携帯電話は、簡易くじ購入画面情報を受信すると、簡易くじ購入画面を表示し、くじ購入者は簡易くじ購入画面の数字指定部に３桁の数字を入力するとともに購入タイプ、購入口数を指定し、決定操作を行なうと、サービス提供装置は、携帯電話から指定数字及び購入タイプ、購入口数などの情報を受信し、携帯電話番号毎に記憶管理」することからすれば、引用発明は、本願発明の「賭博サーバと通信するための加入者インターフェース」及び「ロッタリーウェブサイト」を備えているといえる。
　引用発明の「ポイント管理データベース」は、「くじ、簡易くじ」の「配当」の「決済」に用いられる「金銭に対応したポイント数」を管理するものであるから、本願発明の「ロッタリーで提供中の賞金を記録するための賞金データベース」に相当する。
　したがって、本願発明と引用発明とは、
「ロッタリーシステムであって、
　（ａ）ロッタリー加入者がロッタリーに参加するために用いる無線通信装置と、
　（ｂ）前記無線通信装置を無線ネットワーク上で用いることに関連する請求システムと、
　（ｃ）前記無線通信装置と通信し、（ｉ）ロッタリー登録モジュールと、（ｉｉ）少なくとも１つのロッタリーを備えるロッタリーデータベースと、（ｉｉｉ）ロッタリー抽選モジュールと、を備える賭博サーバと、
　（ｄ）前記賭博サーバにリンクしてチャンスユニットを預けるためのチャンスユニットアカウントであって、前記チャンスユニットを用いてロッタリー加入者は少なくとも１つのロッタリーに参加するチャンスユニットアカウントと、
　を備え、
　前記無線通信装置は、前記賭博サーバと通信するための加入者インターフェースを備え、
　戦記賭博サーバは、それと通信されるロッタリーウェブサイトと、前記ロッタリーで提供中の賞金を記録するための賞金データベースを備え、
　前記賭博サーバは、ロッタリー加入者が獲得した賞金を換金すると、前記賞金データベースを更新する
　ロッタリーシステム。」
である点で一致し、以下の点で相違している。
［相違点１］
　本願発明では、「無線通信装置からの依頼の受信に応答して、賭博サーバは、金額を前記請求システムから引き出すことによってチャンスユニットを生成し、引き出した金額をチャンスユニットに定量化し、チャンスユニットをチャンスユニットアカウントに預け入れ」るが、引用発明では、その点が特定されていない点。
［相違点２］
　本願発明は、「賞金データベースは、賞金の換金に関して取引詳細を閲覧及び監視してもよい第三者によってアクセス可能である」が、引用発明は、その点が特定されていない点。
４　判断
（１）　相違点１について
　上記相違点１について検討すると、一般にロッタリーシステムにおいて、「無線通信装置からの依頼の受信に応答して、サーバは、金額を請求システムから引き出すことによってチャンスユニットを生成し、引き出した金額をチャンスユニットに定量化し、チャンスユニットをチャンスユニットアカウントに預け入れ」ることは、当業者に周知の事項（以下、「周知事項１」という。）である。（周知例として原査定の拒絶の理由に引用された特開２００９−２９４７２７号公報には、
ア．「【００１４】
  同図に示すように
数字選択式宝くじ購入支援システムは、情報通信ネットワーク４０を通じて、購入者が使用する端末装置（購入者端末２０）からのアクセスを受け付け、宝くじの購入依頼を請けるシステムサーバ１０を主として備えており、購入者の依頼に応じて、宝くじの購入手続の代行をする。
イ．「【００３１】
  口座情報１６０ｆは、ポイントを換金したりする場合の会員側の取引口座に関する情報である。すなわち、
システムサーバ１０内では、現金に換算されるポイントを用いて数字選択式宝くじ購入申込み、当せん金支払いの処理等が行われる。」
ウ．「【００４４】
  
メニュー操作でポイント処理項目が選択された場合には
ポイント購入処理が行われると、決済を行うとともに、会員情報ＤＢ１６０のポイント数１６０ｇを更新する
決済は、決済システム６０を通じて、
携帯電話２０ａの通信事業者の利用料金に含めて行う
との記載があり、ア．ないしウ．の記載事項を総合すれば、「情報通信ネットワークを通じて、購入者が使用する端末装置からのアクセスを受け付け、宝くじの購入依頼を請けるシステムサーバを備え、宝くじの購入依頼に応じて、宝くじの購入手続の代行をする数字選択式宝くじ購入支援システムにおいて、システムサーバ内で、現金に換算されるポイントを用いて数字選択式宝くじ購入申込み、当せん金支払いの処理等が行われ、購入者端末のメニュー操作でポイント処理項目が選択された場合には、ポイント購入処理が行われ、会員情報ＤＢのポイント数を更新するとともに、決済は、携帯電話の通信事業者の利用料金に含めて行うこと」が記載され、つまり、「無線通信装置からの依頼の受信に応答して、サーバは、金額を請求システムから引き出すことによってチャンスユニットを生成し、引き出した金額をチャンスユニットに定量化し、チャンスユニットをチャンスユニットアカウントに預け入れ」ることが記載されている。）
　そして、引用発明と上記周知事項１とは、共にロッタリーシステムの技術分野に属し、また、無線通信装置からの依頼の受信に応答して、チャンスユニットを用いてロッタリーに参加するチャンスユニットアカウントを備えている点で共通しているから、引用発明に上記周知事項１を適用することは、当業者が容易に想到し得るものである。
　よって、相違点１係る本願発明の発明特定事項は、引用発明および周知事項１から当業者が容易に想到し得るものである。
（２）　相違点２について
　上記相違点２について検討すると、ロッタリーシステムにおいて、信頼性向上のために、「賞金データベースは、賞金の換金に関して取引詳細を閲覧及び監視してもよい第三者によってアクセス可能である」ことは、当業者に周知の事項（以下、「周知事項２」という。）である。（周知例として原査定の拒絶の理由に引用された特開２００３−５３０４２号公報には、
ア．「【特許請求の範囲】
【請求項１】  
通信回線を通じてユーザ端末と接続可能であって、当該ユーザ端末からのゲーム入力に基づく遊技結果に応じた利益を提供し得るゲームサーバを具備したネットカジノシステム
前記ゲームサーバから前記ユーザ端末に提供されるゲームに係わる換金率又は還元率等のユーザの利益に係わる遊技条件情報の真偽をチェックする真偽チェック手段を備えた監視サーバ
前記監視サーバとゲームサーバとが専用回線で接続され、当該専用回線を通じて前記ゲームサーバから前記端末への送信される遊技条件情報に係わる信号を、前記監視サーバが受信して、当該受信した遊技条件情報に係わる信号に基づいて前記真偽チェック手段により評価する制御内容を含むことを特徴とするネットカジノシステム。
・・・
【請求項４】  
前記ゲームサーバと監視サーバとの運営管理が異なる管理者により行われていること
イ．「【００１２】
【発明が解決しようとする課題】しかしながら、上述した従来の技術では、インターネット等の通信回線を通じて、実際のパチンコ店などのパーラに出向くことなく景品交換を行うことが可能なネット上で実現される仮想のカジノゲームをユーザが行うにあたり、
誰もが不安に感じることが予測できる信頼性向上の点についての配慮が全くなされていないといった問題があった。
・・・
【００１４】この発明は上記問題点に鑑みなされたもので、
仮想カジノとしてのネット上で運営されるネットカジノを如何にユーザに対して信頼されるものにするかに着目し、多数のユーザが安心して遊技を行うことが可能なネットカジノシステム及び当該システムに供されるサーバ、並びにゲーム制御方法を提供せんとするものである。
ウ．「【００６０】
監視サーバ３は、
ユーザ端末４とゲームサーバ７間で送受信される内容を継続的にデータベース３５内に送受信履歴情報として蓄積記憶する
との記載があり、ア．ないしウ．の記載事項を総合すれば、「通信回線を通じてユーザ端末と接続可能であって、当該ユーザ端末からのゲーム入力に基づく遊技結果に応じた利益を提供し得るゲームサーバを具備したネットカジノシステムにおいて、信頼性向上という課題を解決し、多数のユーザが安心して遊技を行うことが可能なネットカジノシステムを提供するために、ユーザ端末とゲームサーバ間で送受信される内容を継続的にデータベース内に送受信履歴情報として蓄積記憶し、ゲームサーバからユーザ端末に提供されるゲームに係わる換金率又は還元率等のユーザの利益に係わる遊技条件情報の真偽をチェックする監視サーバを備え、ゲームサーバと監視サーバとの運営管理が異なる管理者により行われていること」が記載され、つまり、「賞金データベースは、賞金の換金に関して取引詳細を閲覧及び監視してもよい第三者によってアクセス可能である」ことが記載されている。）
　金銭を賭けるロッタリーシステムにおいて、信頼性向上という課題は一般的なものであって、引用発明においても内在する自明な課題である。してみると、引用発明と上記周知事項とは、共にロッタリーシステムという技術分野に属し、信頼性向上という共通する課題を有するものである。したがって、引用発明に上記周知事項２を適用することは、当業者が容易に想到し得るものである。
　よって、相違点２に係る本願発明の発明特定事項は、引用発明および周知事項２から当業者が容易に想到し得るものである。
　そして、本願発明の発明特性事項の全体によって奏される効果も、引用発明、及び上記周知事項１、２から当業者が予測し得る範囲のものである。
第４　むすび
　以上のとおり、本願発明は、引用発明および上記周知事項１、２に基づいて、当業者が容易に発明をすることができたものであるから、特許法第２９条第２項の規定により、特許を受けることができない。
　よって、結論のとおり審決する。